(57)【要約】  蒸気供給システム１００は、再蒸発タンク３０と、吸引路４０と、エゼクタ２０とを備えている。吸引路４０は、第１逆止弁５０が設けられた主流路４１と、第２逆止弁６０が設けられ、第１逆止弁５０をバイパスするバイパス路４２とを含んでいる。第１逆止弁５０は、蒸気が流通する第１開口５１Ａと、第１開口５１Ａを開閉する第１ディスク弁５２とを有し、第１開弁圧力で第１ディスク弁５２が第１開口５１Ａを開くように構成されている。第２逆止弁６０は、第１開口５１Ａよりも小さい、蒸気が流通する第２開口６１Ａと、第２開口６１Ａを開閉する第２ディスク弁６２とを有し、第１開弁圧力よりも小さな第２開弁圧力で第２ディスク弁６２が第２開口６１Ａを開くように構成されている。
2017179287.tif 000002
【特許請求の範囲】
【請求項１】
復水及び再蒸発蒸気を貯留する再蒸発タンクと、
前記再蒸発タンクに接続された吸引路と、
前記吸引路に接続され、前記再蒸発タンク内の再蒸発蒸気を前記吸引路を介して吸引して駆動蒸気と共に流出させるエゼクタとを備え、
前記吸引路は、前記エゼクタから前記再蒸発タンクへの蒸気の逆流を防止する第１逆止弁が設けられた主流路と、前記エゼクタから前記再蒸発タンクへの蒸気の逆流を防止する第２逆止弁が設けられ、前記第１逆止弁をバイパスするバイパス路とを含み、
前記第１逆止弁は、蒸気が流通する第１開口と、前記第1開口を開閉する第１弁体とを有し、所定の第１開弁圧力で前記第１弁体が前記第１開口を開くように構成されており、
前記第２逆止弁は、前記第１開口よりも小さい、蒸気が流通する第２開口と、前記第２開口を開閉する第２弁体とを有し、前記第１開弁圧力よりも小さな第２開弁圧力で前記第２弁体が前記第２開口を開くように構成されていることを特徴とする蒸気供給システム。
【請求項２】
請求項１に記載の蒸気供給システムにおいて、
前記バイパス路には、前記バイパス路を流通する再蒸発蒸気の流量を調節する調節弁が設けられていることを特徴とする蒸気供給システム。
【請求項３】
請求項１に記載の蒸気供給システムにおいて、
前記第１逆止弁は、前記第１開口を閉じる方向に前記第１弁体を付勢するバネを有し、
前記第１弁体は、少なくとも前記バネの付勢力によって前記第１開口を閉じており、
前記第２弁体は、付勢されておらず、前記第２弁体の自重によって前記第２開口を閉じていることを特徴とする蒸気供給システム。
【発明の詳細な説明】
【技術分野】
【０００１】
ここに開示された技術は、蒸気供給システムに関する。
【背景技術】
【０００２】
従来より、蒸気プラント等の蒸気使用設備に用いられる蒸気供給システムが知られている。例えば、特許文献１に記載の蒸気供給システムは、再蒸発タンクと、エゼクタと、再蒸発タンクとエゼクタとを接続する吸引路と、吸引路に設けられた逆止弁とを備えている。再蒸発タンクは、貯留する復水を再蒸発させる。エゼクタは、駆動蒸気が流入すると共に、再蒸発タンクの再蒸発蒸気を吸引路を介して吸引し、駆動蒸気と再蒸発蒸気とを混合して流出させる。エゼクタから流出する混合蒸気が蒸気使用装置に供給される。吸引路には逆止弁が設けられているので、エゼクタから再蒸発タンクへの蒸気の逆流が防止されている。
【先行技術文献】
【特許文献】
【０００３】
【特許文献１】特開２００７−３３２８５９号公報
【発明の概要】
【発明が解決しようとする課題】
【０００４】
前述の逆止弁は、再蒸発タンク内の圧力が低下すると閉弁し得る。例えば、再蒸発タンク内の復水及び再蒸発蒸気が少ない場合には、再蒸発蒸気の吸引により再蒸発タンク内の圧力が低下し得る。逆止弁の上流側と下流側の差圧が逆止弁の開弁圧力を下回ると、逆止弁が閉弁する。その後、再蒸発タンク内に残存する微量な復水が再蒸発したり、再蒸発タンク内に新たに流入した復水が再蒸発したりして、再蒸発タンク内で再蒸発蒸気が発生する。再蒸発蒸気の発生により再蒸発タンクの圧力が上昇して、逆止弁の上流側と下流側の差圧が逆止弁の開弁圧力を上回ると、逆止弁が開弁し、再蒸発タンク内の再蒸発蒸気が吸引路を介してエゼクタに吸引され始める。逆止弁の開弁時には再蒸発タンクの再蒸発蒸気が一気に吸引されるので、再蒸発タンク内の圧力が急激に低下し得る。すると、逆止弁が再度、閉弁する。その結果、逆止弁の開閉が高速で繰り返される現象、即ち、チャタリング現象が発生し得る。【０００５】
ここに開示された技術は、かかる点に鑑みてなされたものであり、その目的とするところは、逆止弁のチャタリング現象を抑制することにある。
【課題を解決するための手段】
【０００６】
ここに開示された蒸気供給システムは、復水及び再蒸発蒸気を貯留する再蒸発タンクと、前記再蒸発タンクに接続された吸引路と、前記吸引路に接続され、前記再蒸発タンク内の再蒸発蒸気を前記吸引路を介して吸引して駆動蒸気と共に流出させるエゼクタとを備え、前記吸引路は、前記エゼクタから前記再蒸発タンクへの蒸気の逆流を防止する第１逆止弁が設けられた主流路と、前記エゼクタから前記再蒸発タンクへの蒸気の逆流を防止する第２逆止弁が設けられ、前記第１逆止弁をバイパスするバイパス路とを含み、前記第１逆止弁は、蒸気が流通する第１開口と、前記第1開口を開閉する第１弁体とを有し、所定の第１開弁圧力で前記第１弁体が前記第１開口を開くように構成されており、前記第２逆止弁は、前記第１開口よりも小さい、蒸気が流通する第２開口と、前記第２開口を開閉する第２弁体とを有し、前記前記第１開弁圧力よりも小さな第２開弁圧力で第２弁体が前記第２開口を開くように構成されている。
【発明の効果】
【０００７】
ここに開示された技術によれば、逆止弁のチャタリング現象を抑制することができる。
【図面の簡単な説明】
【０００８】
【図１】図１は、蒸気供給システムの概略図である。
【図２】図２は、第１逆止弁の縦断面図である。
【図３】図３は、第２逆止弁の縦断面図である。
【発明を実施するための形態】
【０００９】
以下、例示的な実施形態を図面に基づいて詳細に説明する。
【００１０】
図１は、蒸気供給システムの概略図である。蒸気供給システム１００は、蒸気使用設備において用いられ、蒸気使用装置に蒸気を供給する。蒸気供給システム１００は、蒸気使用装置に蒸気を供給する蒸気供給路１０と、蒸気供給路１０に設けられた減圧弁１１と、蒸気供給路１０において減圧弁１１の下流側に設けられたエゼクタ２０と、復水を貯留し且つ再蒸発させる再蒸発タンク３０と、エゼクタ２０と再蒸発タンク３０とを接続する吸引路４０とを備えている。蒸気システム１００は、減圧弁１１を介してエゼクタ２０に流入する駆動蒸気によって再蒸発タンク３０における再蒸発蒸気をエゼクタ２０に吸引し、駆動蒸気と再蒸発蒸気との混合蒸気を蒸気使用装置に供給する。
【００１１】
蒸気供給路１０の上流端は、駆動蒸気の供給源に接続されている。減圧弁１１は、駆動蒸気を減圧して、エゼクタ２０の流入部２１に流入させる。
【００１２】
再蒸発タンク３０は、復水を貯留すると共に、復水を再蒸発させる。再蒸発タンク３０には、復水が流入する復水流入路３１と、復水が排出される復水排出路３２とが接続されている。復水排出路３２は、再蒸発タンク３０の下部に接続されている。復水排出路３２には、蒸気トラップ３３が設けられている。
【００１３】
供給路４０の一端は、再蒸発タンク３０の上部に接続されている。吸引路４０の他端は、エゼクタ２０の吸引部２２に接続されている。吸引路４０は、第１逆止弁５０が設けられた主流路４１と、蒸気に第１逆止弁５０をバイパスさせるバイパス路４２とを含んでいる。第１逆止弁５０は、エゼクタ２０から再蒸発タンク３０へ向かう蒸気の流れ、即ち、蒸気の逆流を防止する。つまり、主流路４１では、再蒸発タンク３０からエゼクタ２０へ向かう一方向のみに蒸気が流通する。
【００１４】
バイパス路４２は、主流路４１のうち第１逆止弁５０よりも再蒸発タンク３０寄りの部分と、主流路４１のうち第１逆止弁５０よりもエゼクタ２０寄りの部分とを接続している。バイパス路４２は、主流路４１に比べて細い管で形成されている。バイパス路４２には、第２逆止弁６０が設けられている。第２逆止弁６０は、エゼクタ２０から再蒸発タンク３０へ向かう蒸気の流れ、即ち、蒸気の逆流を防止する。つまり、バイパス路４２では、再蒸発タンク３０からエゼクタ２０へ向かう一方向のみに蒸気が流通する。さらに、バイパス路４２には、バイパス路４２を流通する蒸気の流量を調節するニードル弁７０が設けられている。ニードル弁７０は、調節弁の一例である。
【００１５】
図２は、第１逆止弁５０の縦断面図である。第１逆止弁５０は、蒸気が流通する第１開口５１Ａが形成されたケーシング５１と、第１開口５１Ａを開閉する第１ディスク弁５２と、第１ディスク弁５２を案内するガイド５３と、第１ディスク弁５２を閉方向に付勢するコイルバネ５４と、コイルバネ５４を支持する押さえ部材５５とを有している。第１ディスク弁５２は、第１弁体の一例である。
【００１６】
ケーシング５１は、概ね円筒状に形成されている。ケーシング５１は、軸方向の両端が開口しており、一方の開口が第１開口５１Ａである。ガイド５３は、ケーシング５１の内部に複数設けられている。ガイド５３は、ケーシング５１の周方向に互いに間隔を空けて配列されている。第１ディスク弁５２は、ケーシング５１の軸方向に移動可能な状態でケーシング５１内に、具体的には、複数のガイド５３に囲まれた状態で収容されている。
【００１７】
第１逆止弁５０では、コイルバネ５４の付勢力により、第１ディスク弁５２が第１開口５１Ａを閉じている。コイルバネ５４の付勢力に対抗する圧力が第１ディスク弁５２に作用することによって、第１ディスク弁５２が第１開口５１Ａを開く。以下、第１ディスク弁５２を開くのに必要な圧力を「第１開弁圧力」と称する。
【００１８】
図３は、第２逆止弁６０の縦断面図である。第２逆止弁６０は、蒸気が流通する第２開口６１Ａが形成されたケーシング６１と、第２開口６１Ａを開閉する第２ディスク弁６２と、第２ディスク弁６２を案内するガイド６３と、開弁時の第２ディスク弁６２を受け止める押さえ部材６５とを有している。第２ディスク弁６２は、第２弁体の一例である。
【００１９】
ケーシング６１は、概ね円筒状に形成されている。ケーシング６１は、軸方向の両端が開口しており、一方の開口が第２開口６１Ａである。第２開口６１Ａは、第１開口５１Ａよりも小さい。ガイド６３は、ケーシング６１の内部に複数設けられている。ガイド６３は、ケーシング６１の周方向に互いに間隔を空けて配列されている。第２ディスク弁６２は、ケーシング６１の軸方向に移動可能な状態でケーシング６１内に、具体的には、複数のガイド６３に囲まれた状態で収容されている。
【００２０】
第２逆止弁６０は、第２開口６１Ａが下方を向く状態で配置される。そのため、第２逆止弁６０では、第２ディスク弁６２は、自重により第２開口６１Ａを閉じている。第２ディスク弁６２の自重に対抗する圧力が第２ディスク弁６２に作用することによって、第２ディスク弁６２が第２開口６１Ａを開く。以下、第２ディスク弁６２を開くのに必要な圧力を「第２開弁圧力」と称する。第２逆止弁６０は、第１逆止弁５０のようなコイルバネ５４が設けられておらず、第２ディスク弁６２の自重だけで閉弁しているので、第２開弁圧力は、第１開弁圧力に比べて小さい。
【００２１】
続いて、このように構成された蒸気供給システム１００の動作について説明する。
【００２２】
再蒸発タンク３０には、復水供給路３１を介して復水が流入する。再蒸発タンク３０に貯留される復水は、再蒸発して蒸気となる。再蒸発蒸気は、再蒸発タンク３０の上部に滞留している。また、再蒸発タンク３０内に貯留される復水の一部は、復水排出路３２を介して再蒸発タンク３０から排出される。
【００２３】
一方、蒸気供給路１０を流通する駆動蒸気は、減圧弁１１によって減圧されエゼクタ２０の流入部２１に流入する。エゼクタ２０は、駆動蒸気のジェットポンプ効果によって生じる負圧により、吸引路４０を介して再蒸発タンク３０から再蒸発蒸気を吸引する。エゼクタ２０は、駆動蒸気と再蒸発蒸気とを混合して、混合蒸気を蒸気使用装置へ供給する。このとき、吸引路４０の主流路４１に第１逆止弁５０が設けられ、且つ、バイパス路４２に第２逆止弁６０が設けられているので、エゼクタ２０から再蒸発タンク３０への蒸気の逆流が防止されている。
【００２４】
さらに、吸引路４０にバイパス路４２が設けられ、且つ、第１逆止弁５０よりも開弁圧力が小さい第２逆止弁６０がバイパス路４２に設けられているので、第１逆止弁５０が高速で開閉を繰り返す、所謂、チャタリング現象が抑制される。
【００２５】
詳しくは、バイパス路４２及び第２逆止弁６０が設けられていない構成においては、例えば、再蒸発タンク３０内に再蒸発蒸気が少ない場合にチャタリング現象が生じ得る。詳しくは、再蒸発タンク３０内に復水及び再蒸発蒸気が少ない場合には、再蒸発タンク３０内の圧力が低くなる。第１逆止弁５０の上流側と下流側との差圧が第１開弁圧力未満の場合には、第１逆止弁５０が閉弁する。その後、再蒸発タンク３０内に貯留された復水が再蒸発したり、再蒸発タンク３０内に新たに流入した復水が再蒸発したりすると、再蒸発タンク３０内で再蒸発蒸気が発生し、再蒸発タンク３０内の圧力が上昇する。第１逆止弁５０の上流側と下流側の差圧が第１開弁圧力に達すると、第１逆止弁５０が開弁し、再蒸発タンク３０内の再蒸発蒸気が吸引路４０を介してエゼクタ２０に吸引され始める。第１逆止弁５０の開弁時には再蒸発タンク３０の再蒸発蒸気が一気に吸引される。再蒸発タンク３０の再蒸発蒸気が一気に減少すると、再蒸発タンク３０内の再蒸発蒸気及び復水が少ない状況においては再蒸発タンク３０内の圧力が急激に低下する。すると、第１逆止弁５０が再度、閉弁する。その結果、このような第１逆止弁５０の開閉が高速で繰り返され得る。こうして、チャタリング現象が発生する。
【００２６】
それに対し、吸引路４０にバイパス路４２が設けられ、バイパス路４２には第２逆止弁６０が設けられている。第２開弁圧力は、第１開弁圧力よりも低く設定されている。そのため、第１逆止弁５０及び第２逆止弁６０の閉弁後に再蒸発タンク３０内の圧力が上昇すると、第２逆止弁６０の上流側と下流側との差圧が第２開弁圧力に達したときに、第２逆止弁６０が開弁し、再蒸発タンク３０内の再蒸発蒸気がバイパス路４２を介してエゼクタ２０に吸引され始める。
【００２７】
第１逆止弁５０の上流側と下流側の差圧が第１開弁圧力に達するまでの間は、第１逆止弁５０の閉弁が維持され、バイパス路４２を介した再蒸発蒸気の吸引が継続される。
【００２８】
再蒸発タンク３０内の圧力がさらに上昇し、第１逆止弁５０の上流側と下流側との差圧が第１開弁圧力に達すると、第１逆止弁５０が開弁し、再蒸発タンク３０内の再蒸発蒸気がさらに主流路４１を介してエゼクタ２０に吸引され始める。
【００２９】
第１逆止弁５０の上流側と下流側との差圧が第１開弁圧力に達したときには、バイパス路４２が設けられていない場合と比べて、再蒸発タンク３０内の再蒸発蒸気及び復水の量が多くなっている。そのため、第１逆止弁５０が開弁して再蒸発タンク３０内の再蒸発蒸気が一気に吸引されても、再蒸発タンク３０内の圧力の急激な減少が緩和され、第１逆止弁５０の即座の閉弁が抑制される。その結果、第１逆止弁５０のチャタリング現象が抑制される。
【００３０】
さらに、第２逆止弁６０の第２開口６１Ａは、第１逆止弁５０の第１開口５１Ａよりも小さいので、バイパス路４２を介した再蒸発蒸気の流量は、主流路４１を介した再蒸発蒸気の流量に比べて少ない。再蒸発タンク３０内の圧力が第１開弁圧力未満の場合には、再蒸発タンク３０内の再蒸発蒸気及び復水が比較的少ないものの、再蒸発蒸気の吸引量も少ないので、再蒸発タンク３０内の再蒸発蒸気の急激な減少が抑制される。これにより、再蒸発タンク３０内の急激な圧力低下が抑制され、ひいては、第２逆止弁６０のチャタリング現象も抑制される。
【００３１】
それに加えて、ニードル弁７０によってバイパス路４２の流量を調節することができる。前述の如く、第２開口６１Ａを小さくすることによってバイパス路４２における再蒸発蒸気の流量が低減されているとしても、蒸気使用設備の実際の使用状況（例えば、再蒸発タンク３０への復水の流入量が少ない場合等）によっては再蒸発タンク３０内の再蒸発蒸気及び復水が微量になってしまうことも起こり得る。そこで、そのような場合には、ニードル弁７０を絞ることによって、バイパス路４２における再蒸発蒸気の流量をさらに低減させる。これにより、再蒸発タンク３０内の再蒸発蒸気又は復水が確保されるようになるので、第２逆止弁６０のチャタリング現象がより一層抑制される。
【００３２】
以上のように、蒸気供給システム１００は、復水及び再蒸発蒸気を貯留する再蒸発タンク３０と、再蒸発タンク３０に接続された吸引路４０と、吸引路４０に接続され、再蒸発タンク３０内の再蒸発蒸気を吸引路４０を介して吸引して駆動蒸気と共に流出させるエゼクタ２０とを備え、吸引路４０は、エゼクタ２０から再蒸発タンク３０への蒸気の逆流を防止する第１逆止弁５０が設けられた主流路４１と、エゼクタ２０から再蒸発タンク３０への蒸気の逆流を防止する第２逆止弁６０が設けられ、第１逆止弁５０をバイパスするバイパス路４２とを含み、第１逆止弁５０は、蒸気が流通する第１開口５１Ａと、第１開口５１Ａを開閉する第１ディスク弁５２（第１弁体）とを有し、所定の第１開弁圧力で第１ディスク弁５２が第１開口５１Ａを開くように構成されており、第２逆止弁６０は、第１開口５１Ａよりも小さい、蒸気が流通する第２開口６１Ａと、第２開口６１Ａを開閉する第２ディスク弁６２（第２弁体）とを有し、第１開弁圧力よりも小さな第２開弁圧力で第２ディスク弁６２が第２開口６１Ａを開くように構成されている。
【００３３】
この構成によれば、再蒸発タンク３０の再蒸発蒸気は、エゼクタ２０に吸引され、駆動蒸気と混合されて蒸気使用装置等に供給される。エゼクタ２０と再蒸発タンク３０とは、主流路４１及びバイパス路４２を含む吸引路４０を介して接続されており、再蒸発蒸気は、主流路４１及びバイパス路４２の少なくとも一方を流通してエゼクタ２０に吸引される。尚、主流路４１に第１逆止弁５０が、バイパス路４２に第２逆止弁６０が設けられているので、エゼクタ２０から再蒸発タンク３０への蒸気の逆流が防止される。
【００３４】
第１逆止弁５０及び第２逆止弁６０の閉弁後、再蒸発タンク３０内の圧力が上昇して第２開弁圧力に達すると、まず第２逆止弁６０が開弁する。第２逆止弁６０の第２開口６１Ａは、第１逆止弁５０の第１開口５１Ａよりも小さいので、バイパス路４２における再蒸発蒸気の流量は比較的少ない。そのため、再蒸発タンク３０内の再蒸発蒸気の減少量も小さいので、再蒸発タンク３０内の急激な圧力低下が抑制される。これにより、第２逆止弁６０におけるチャタリング現象の発生が抑制される。
【００３５】
その後、再蒸発タンク３０内の再蒸発蒸気がさらに増加して圧力が第１開弁圧力に達すると、第１逆止弁５０も開弁する。このときには、再蒸発タンク３０内には再蒸発蒸気及び復水がある程度溜まっているので、第１逆止弁５０の開弁により再蒸発蒸気が一気に吸引されたとしても、再蒸発タンク３０内の急激な圧力低下が緩和される。その結果、第１逆止弁５０におけるチャタリング現象の発生が抑制される。
【００３６】
さらに、バイパス路４２には、バイパス路４２を流通する再蒸発蒸気の流量を調節するニードル弁７０(調節弁)が設けられている。
【００３７】
この構成によれば、バイパス路４２の再蒸発蒸気の流量を調節することができる。実際の使用状況において第２逆止弁６０が頻繁に閉弁する場合には、ニードル弁７０によってバイパス路４２の流量を絞ることによって再蒸発蒸気の吸引量を低減することができる。これにより、再蒸発蒸気の発生量と吸引量とをバランスさせ、再蒸発タンク３０内の再蒸発蒸気及び復水の枯渇を抑制することができる。つまり、第２逆止弁６０におけるチャタリング現象の発生をより一層抑制することができる。
【００３８】
また、第１逆止弁５０は、第１開口５１Ａを閉じる方向に第１ディスク弁５２を付勢するコイルバネ５４（バネ）を有し、第１ディスク弁５２は、少なくともコイルバネ５４の付勢力によって第１開口５１Ａを閉じており、第２ディスク弁６２は、付勢されておらず、第２ディスク弁６２の自重によって第２開口６１Ａを閉じている。
【００３９】
この構成によれば、第１ディスク弁５２はコイルバネ５４によって付勢されている一方、第２ディスク弁６４はバネ等によって付勢されていないので、第１開弁圧力よりも小さな第２開弁圧力を実現しやすい。また、コイルバネ５４の付勢力及び第２ディスク弁６２の重量によって、第１開弁圧力及び第２開弁圧力を調節することができる。
【００４０】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４１】
前記実施形態について、以下のような構成としてもよい。
【００４２】
例えば、第１逆止弁５０及び第２逆止弁６０の構成は、一例に過ぎず、任意の構成を採用することができる。例えば、第１逆止弁５０及び第２逆止弁６０の弁体は、ディスク状に形成されているが、それ以外の形状であってもよい。
【００４３】
第１逆止弁５０は、コイルバネ５４を有していなくてもよい。第１開口５１Ａが下方を向く状態で第１逆止弁５０を配置することによって、第１ディスク弁５２が自重により第１開口５１Ａを閉じる。第１ディスク弁５２の重量を第２ディスク弁６２よりも重くすることによって、第１開弁圧力を第２開弁圧力よりも大きくすることができる。
【００４４】
一方、第２逆止弁６０が、第２ディスク弁６２を閉方向に付勢するコイルバネを有していてもよい。この場合、コイルバネの付勢力を第１逆止弁５０のコイルバネ５４よりも小さくする。これにより、第２開弁圧力を第１開弁圧力よりも小さくすることができる。
【００４５】
ニードル弁７０は、実際の使用状況に応じてバイパス弁４２の再蒸発蒸気の流量を調節するためのものであるので、実際の使用状況に応じた調節が必要ない場合等にはニードル弁７０を省略してもよい。
【産業上の利用可能性】
【００４６】
以上説明したように、ここに開示された技術は、蒸気供給システムについて有用である。
【符号の説明】
【００４７】
１００    蒸気供給システム
２０      エゼクタ
３０      再蒸発タンク
４０      吸引路
４１      主流路
４２      バイパス路
５０      第１逆止弁
５１Ａ    第１開口
５２      第１ディスク弁（第１弁体）
６０      第２逆止弁
６１Ａ    第２開口
６２      第２ディスク弁（第２弁体）
７０      ニードル弁（調節弁）
【図１】
2017179287.tif 000003
【図２】
2017179287.tif 000004
【図３】
2017179287.tif 000005
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
復水及び再蒸発蒸気を貯留する再蒸発タンクと、
前記再蒸発タンクに接続された吸引路と、
前記吸引路に接続され、前記再蒸発タンク内の再蒸発蒸気を前記吸引路を介して吸引して駆動蒸気と共に流出させるエゼクタとを備え、
前記吸引路は、前記エゼクタから前記再蒸発タンクへの蒸気の逆流を防止する第１逆止弁が設けられた主流路と、前記エゼクタから前記再蒸発タンクへの蒸気の逆流を防止する第２逆止弁が設けられ、前記第１逆止弁をバイパスするバイパス路とを含み、
前記第１逆止弁は、蒸気が流通する第１開口と、前記第１開口を開閉する第１弁体とを有し、所定の第１開弁圧力で前記第１弁体が前記第１開口を開くように構成されており、
前記第２逆止弁は、前記第１開口よりも小さい、蒸気が流通する第２開口と、前記第２開口を開閉する第２弁体とを有し、前記第１開弁圧力よりも小さな第２開弁圧力で前記第２弁体が前記第２開口を開くように構成されており、
前記バイパス路には、前記バイパス路を流通する再蒸発蒸気の流量を調節する調節弁が設けられていることを特徴とする蒸気供給システム。
【請求項２】
請求項１に記載の蒸気供給システムにおいて、
前記第１逆止弁は、前記第１開口を閉じる方向に前記第１弁体を付勢するバネを有し、
前記第１弁体は、少なくとも前記バネの付勢力によって前記第１開口を閉じており、
前記第２弁体は、付勢されておらず、前記第２弁体の自重によって前記第２開口を閉じていることを特徴とする蒸気供給システム。
【国際調査報告】
2017179287.tif 000006
2017179287.tif 000007